【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
印刷装置であって、
印刷処理を実行する印刷手段と、
ユーザが前記印刷装置にログインするためのログイン処理を実行するログイン手段と、
前記印刷処理に関する複数の設定項目について、前記ユーザが使用した使用回数を蓄積する蓄積手段と、
前記複数の設定項目の中から、使用回数が最も多い設定項目を特定する特定手段と、
前記特定手段によって特定された設定項目に関連する推奨設定項目を前記ユーザに通知する通知手段と、
を備えることを特徴とする印刷装置。
【請求項２】
前記通知手段は、前記推奨設定項目を前記ユーザに通知するための通知画面を表示することを特徴とする請求項１に記載の印刷装置。
【請求項３】
前記推奨設定項目を前記ユーザに通知済みであるか否かを判定する判定手段を更に備え、
前記推奨設定項目を前記ユーザに通知済みではないと前記判定手段によって判定された場合に、前記通知手段は、前記推奨設定項目を前記ユーザに通知し、前記推奨設定項目を前記ユーザに通知済みであると前記判定手段によって判定された場合に、前記通知手段は、前記推奨設定項目を前記ユーザに通知しないことを特徴とする請求項１又は２に記載の印刷装置。
【請求項４】
印刷装置であって、
印刷処理を実行する印刷手段と、
ユーザが前記印刷装置にログインするためのログイン処理を実行するログイン手段と、
前記印刷処理に関する複数の設定項目について、前記ユーザが使用した使用回数を蓄積する蓄積手段と、
前記印刷装置に新たな機能を追加する追加手段と、
前記複数の設定項目の中から、前記新たな機能に対応する設定項目を特定する特定手段と、
前記特定手段によって特定された設定項目の使用回数に基づいて、前記新たな機能が追加されたことを前記ユーザに通知するか否かを決定する決定手段と、
前記新たな機能が追加されたことを前記ユーザに通知すると前記決定手段によって決定された場合に、前記新たな機能が追加されたことを前記ユーザに通知する通知手段と、
を備えることを特徴とする印刷装置。
【請求項５】
前記新たな機能が追加されたことを前記ユーザに通知すると前記決定手段によって決定された場合、前記通知手段は、前記ユーザが次に前記印刷装置にログインした際に前記新たな機能が追加されたことを前記ユーザに通知することを特徴とする請求項４に記載の印刷装置。
【請求項６】
前記新たな機能が追加されたことを前記ユーザに通知しないと前記決定手段によって決定された場合、前記通知手段は、前記ユーザが次に前記印刷装置にログインした際に前記新たな機能が追加されたことを前記ユーザに通知しないことを特徴とする請求項５に記載の印刷装置。
【請求項７】
前記通知手段は、前記新たな機能が追加されたことを前記ユーザに通知するための通知画面を表示することを特徴とする請求項４乃至６のいずれか１項に記載の印刷装置。
【請求項８】
前記決定手段は、前記特定手段によって特定された設定項目の使用回数が所定の回数より多い場合に、前記新たな機能が追加されたことを前記ユーザに通知すると決定することを特徴とする請求項４乃至７のいずれか１項に記載の印刷装置。
【請求項９】
前記追加手段は、前記印刷装置のアップデートに基づいて前記印刷装置に新たな機能を追加することを特徴とする請求項４乃至８のいずれか１項に記載の印刷装置。
【請求項１０】
前記追加手段は、ライセンス番号の入力に基づいて前記印刷装置に新たな機能を追加することを特徴とする請求項４乃至８のいずれか１項に記載の印刷装置。
【請求項１１】
印刷装置の制御方法であって、
印刷処理を実行する印刷工程と、
ユーザが前記印刷装置にログインするためのログイン処理を実行するログイン工程と、
前記印刷処理に関する複数の設定項目について、前記ユーザが使用した使用回数を蓄積する蓄積工程と、
前記複数の設定項目の中から、使用回数が最も多い設定項目を特定する特定工程と、
前記特定工程によって特定された設定項目に関連する推奨設定項目を前記ユーザに通知する通知工程と、
を備えることを特徴とする印刷装置の制御方法。
【請求項１２】
印刷装置の制御方法であって、
印刷処理を実行する印刷工程と、
ユーザが前記印刷装置にログインするためのログイン処理を実行するログイン工程と、
前記印刷処理に関する複数の設定項目について、前記ユーザが使用した使用回数を蓄積する蓄積工程と、
前記印刷装置に新たな機能を追加する追加工程と、
前記複数の設定項目の中から、前記新たな機能に対応する設定項目を特定する特定工程と、
前記特定工程によって特定された設定項目の使用回数に基づいて、前記新たな機能が追加されたことを前記ユーザに通知するか否かを決定する決定工程と、
前記新たな機能が追加されたことを前記ユーザに通知すると前記決定工程によって決定された場合に、前記新たな機能が追加されたことを前記ユーザに通知する通知工程と、
を備えることを特徴とする印刷装置の制御方法。
【請求項１３】
請求項１１又は請求項１２に記載の印刷装置の制御方法をコンピュータに実行させるためのプログラム。
【手続補正２】
【補正対象書類名】明細書
【補正対象項目名】発明の名称
【補正方法】変更
【補正の内容】
【発明の名称】印刷装置、印刷装置の制御方法及びプログラム
【手続補正３】
【補正対象書類名】明細書
【補正対象項目名】０００１
【補正方法】変更
【補正の内容】
【０００１】
本発明は、ユーザに推奨すべき画像処理機能を表示する印刷装置、印刷装置の制御方法及びプログラムに関するものである。
【手続補正４】
【補正対象書類名】明細書
【補正対象項目名】０００６
【補正方法】変更
【補正の内容】
【０００６】
上記目的を達成する本発明の印刷装置は以下に示す構成を備える。
印刷装置であって、印刷処理を実行する印刷手段と、ユーザが前記印刷装置にログインするためのログイン処理を実行するログイン手段と、前記印刷処理に関する複数の設定項目について、前記ユーザが使用した使用回数を蓄積する蓄積手段と、前記複数の設定項目の中から、使用回数が最も多い設定項目を特定する特定手段と、前記特定手段によって特定された設定項目に関連する推奨設定項目を前記ユーザに通知する通知手段と、を備えることを特徴とする。
【手続補正５】
【補正対象書類名】明細書
【補正対象項目名】００２６
【補正方法】変更
【補正の内容】
【００２６】
５０４は優先度で、列方向に、関連した関連する他の設定項目５０３の中での優先度を示している。ここで、優先度とは、後述する推奨設定項目の情報をユーザに知らせるポップアップ表示をどのような順番で行うかを決定する為に使用する情報である。
例えば、分類５０１がコピーの設定項目５０２が両面の関連した関連する他の設定項目５０３では、ＣＰＵ１０１が「縮小レイアウト」が優先度「１」→「ソート」が優先度「２」→「拡大／縮小」が優先度「３」→「その他」が優先度「４」という順番でポップアップ表示を行う。「両面」に対して「縮小レイアウト」の優先度が最も高い推奨設定項目になっているのは、次に示す理由からである。即ち、「両面」を指定するユーザは印刷で使用する用紙の枚数を削減するために「両面」を指定していると考えられるため、同じように用紙の枚数を削減する「縮小レイアウト」も「両面」を指定するユーザにとって望ましい設定項目だからである。
５０５はポップアップ実行状況で、後述する推奨設定項目の情報をユーザに知らせるポップアップ表示が実行済みであるかどうかを示す情報が保持される。
【手続補正６】
【補正対象書類名】明細書
【補正対象項目名】００３５
【補正方法】変更
【補正の内容】
【００３５】
図７は、図１に示した操作部１０７の表示部に表示するユーザインタフェース画面の一例を示す図である。以下、図６に示したステップに従う画面表示制御に基づく画面表示状態を詳述する。なお、７０１〜７１０は画面を示す。
図７において、画面７０１では、ユーザが画像処理装置１００にログインする前の画面である。この画面７０１は、図６に示したフローチャートのＳ６０１に相当する。
この画面７０１で、ユーザが操作部１０７を用いて部門ＩＤと暗証番号を入力し、ＣＰＵ１０１がその内容が正しいと判断（認証）した場合（ログイン成功の場合）、ＣＰＵ１０１は、画面表示内容を画面７０２に遷移させる。
ユーザが画像処理装置１００にログインし、画面７０２を表示するまでの間に、図６のフローチャートのＳ６０２からＳ６０８までの一連の処理が行われている。
また、図７示した画面７０２には図６のフローチャートのＳ６０２からＳ６０６までの処理で決定した、推奨設定項目を設定するかどうかの説明のポップアップ画面を表示している。ここで、ＣＰＵ１０１は、図６に示した手順に基づく処理を実行することで、認証したユーザに操作初期画面を表示した後、前記記録手段に記録されたユーザ別の設定項目の使用状況に基づいて、ユーザに推奨すべき設定項目を紹介する画面を表示することができる。なお、画面７０２に示すポップアップ画面の下に表示される画面は、ＣＰＵ１０１による操作画面制御に基づいて、認証されたユーザが設定また選択する画像処理機能に合わせてユーザ別の操作初期画面を表示部に表示する操作画面に対応する。
【手続補正７】
【補正対象書類名】明細書
【補正対象項目名】００３６
【補正方法】変更
【補正の内容】
【００３６】
図７の画面７０２には、ＣＰＵ１０１が推奨する機能を実行（設定）するかどうかを画像処理装置１００にログインしたユーザに選択させるメッセージやボタンも表示する。
ここで、画像処理装置１００にログインしたユーザが、図７の画面Ｓ７０２で「いいえ」のボタンを押下したことをＣＰＵ１０１が受付けたと判断した場合は、ＣＰＵ１０１は、表示画面を画面７１０に切り替え制御する。これにより、操作部１０７の表示部にコピーの基本画面１を表示して、その後通常の操作となる。上記の画面遷移は図６のＳ６０６及びＳ６０８、Ｓ６０９の処理に相当する。また、ＣＰＵ１０１が実行する推奨機能表示制御に基づいて、画像処理機能を紹介する画面を表示部に表示してから所定時間、ユーザからの指示がない場合、表示部の画面を操作画面制御手段による画面表示に切り替える制御を実行する。
【手続補正８】
【補正対象書類名】明細書
【補正対象項目名】００４４
【補正方法】変更
【補正の内容】
【００４４】
例えば、Ｓ８０３で追加した機能が「ＯＣＲ」であるとする。本実施形態では、新しい機能を追加する場合に、当該機能が設定項目２０４のいずれに対応する機能であるかが関連付けられる。例えば新しく追加された機能が「ＯＣＲ」であれば、「ＯＣＲ」は設定項目２０４の中の「ファイル形式」に対応する機能であると関連付けられる。なお、この関連付けは、ライセンス番号の入力やファームウェアのアップデートに基づいて新たな機能が追加される場合に、例えばアップデート用のプログラムファイルに含まれる情報に基づいて自動的に行われる。
Ｓ８０４では、ＣＰＵ１０１はＳ８０３で追加された機能を推奨機能としてユーザに通知するか否かを判断する。上述の例を用いて説明すると、新しく追加された機能が「ＯＣＲ」であれば、設定項目２０４の「ファイル形式」の第２のカウント数２０５が所定の閾値以上であれば、Ｓ８０３で追加された機能を推奨機能としてユーザに通知すると決定する。なお、本実施形態では所定の閾値を「１５」とするが、他の値であっても良い。そしてＳ８０５で、ＣＰＵ１０１は追加された機能を推奨機能としてユーザに通知するために、推奨ポップアップを出すと設定する。
一方、設定項目２０４の「ファイル形式」の第２のカウント数２０５が所定の閾値未満であれば、Ｓ８０３で追加された機能を推奨機能としてユーザに通知しないと決定する。
【手続補正９】
【補正対象書類名】明細書
【補正対象項目名】００５０
【補正方法】変更
【補正の内容】
【００５０】
次に、Ｓ８０８において、ＣＰＵ１０１は、画像処理装置１００にログインしているユーザがログアウトの操作を行っているかどうかを判断する。ここで、ログインしているユーザがログアウトの操作を行っていないと判断した場合は、Ｓ８０２へ戻り、ログインしているユーザがログアウトの操作を行っていると判断した場合、ログアウト処理を行い画像処理装置１００からログアウトする。
【手続補正１０】
【補正対象書類名】明細書
【補正対象項目名】００５６
【補正方法】変更
【補正の内容】
【００５６】
図１２は、図１に示した操作部１０７の表示部に表示されるユーザインタフェースの一例を示す図である。なお、１１０１〜１１０４，１１０４−２、１１０５は画面を示す。
図１２において、画面１１０１は、ユーザが画像処理装置１００にログインする前の画面であり、具体的には、図１１のフローチャートのＳ９０１で表示される画面に対応する
【手続補正１１】
【補正対象書類名】明細書
【補正対象項目名】００５７
【補正方法】変更
【補正の内容】
【００５７】
画面１１０１で、ユーザが部門ＩＤと暗証番号を入力し、それが正しいとＣＰＵ１０１が判断した場合（ログイン成功の場合）、表示画面は、画面（通知画面）１１０２の表示に遷移させる。ユーザが画像処理装置１００にログインし、画面１１０２を表示するまでの間に、図１１のフローチャートのＳ９０２からＳ９０４までの一連の処理が行われている。
但し、Ｓ９０２の処理でポップアップを表示しないとＣＰＵ１０１が判断した場合は、画面は画面１１０５の表示に遷移する。なお、画面１１０５は図１１のフローチャートのＳ９０７に相当する。
【手続補正１２】
【補正対象書類名】図面
【補正対象項目名】図１２
【補正方法】変更
【補正の内容】
【図１２】
2013207718.tif 000001